(57)【要約】【課題】靴下などの対の物を洗濯した際にばらばらにならず、さらに、洗濯物を干す手間及び取り込む手間を軽減することを可能とする洗濯物干し具を提供することにある。【解決手段】洗濯物をピンチ３に挟持した状態で洗濯機９０に入れて洗濯可能とする洗濯物挟持具２と、洗濯物干し具１を物干し竿１３に掛けるためのフック７Ａと、洗濯物挟持具２を装着する被装着体６とからなる支持体５とからなる。洗濯物挟持具２は、丸ゴム４を広げながら被装着体６に挿入することにより支持体５の任意の位置に装着される。【選択図】図７
2008154806.tif 000002
【特許請求の範囲】
【請求項１】
洗濯物をピンチに挟持した状態で干すための洗濯物干し具であって、
洗濯物を挟持する複数のピンチと、この複数のピンチを間隙を介して連接する環状伸縮部材とからなるとともに、洗濯物を上記ピンチに挟持した状態で洗濯機に入れて洗濯可能とする洗濯物挟持具と、
上記洗濯物干し具を被掛け部に掛けるためのフックと、上記洗濯物挟持具を装着する被装着体とからなる支持体と、からなり、
上記環状伸縮部材を広げながら上記被装着体に挿入することにより上記洗濯物挟持具が上記支持体の任意の位置に装着される
ことを特徴とする洗濯物干し具。
【請求項２】
上記被装着体は、縦棒及び横棒からなる枠体であり、
上記縦棒及び／又は上記横棒は、伸縮棒からなることを特徴とする請求項１に記載の洗濯物干し具。
【請求項３】
上記被装着体は、方形状の板材からなることを特徴とする請求項１に記載の洗濯物干し具。
【請求項４】
上記被装着体の挿入開始端部には、凸部を有することを特徴とする請求項２あるいは３に記載の洗濯物干し具。
【発明の詳細な説明】
【技術分野】
【０００１】
本発明は、洗濯物をピンチにより吊り下げて干すための洗濯物干し具に関する。
【背景技術】
【０００２】
従来より、洗濯物を干す器具として、物干し竿等の被掛け部にフックなどを用いて掛けられる枠体と、この枠体に吊下され洗濯物を挟持する複数のピンチ（洗濯ばさみ）とからなる、いわゆるハンガー式洗濯物干し具が知られている。このハンガー式洗濯物干し具は、下着・靴下などの小物や、タオル・ワイシャツ・バスタオルなどの比較的大きめのものも一度に干せて便利であるので、多くの家庭で使用されている。
【０００３】
しかしながら、このハンガー式洗濯物干し具においては、洗濯物を干す際に、物干し竿などの被掛け部に吊るした状態で１つ１つ洗濯物をピンチに挟持しなければならず、非常に手間がかかる。一方、このハンガー式洗濯物干し具から洗濯物を取り込む際にも、ピンチから１つ１つ洗濯物を取り外さなければならず、非常に手間がかかる。また、靴下やストッキングなど対の物は、洗濯の際にばらばらになってしまうので、干す際に対にして干そうとすると探すのに手間がかかり、他方、干す際に対にして干さない場合には、取り込むのに手間がかかる。
【０００４】
ここで、従来のハンガー式洗濯物干しを改良したものとして、特許文献１に記載のハンガー式洗濯物干し具がある。このハンガー式洗濯物干し具は、開方向へと付勢された一対の操作片部（３２ａ、３２ｂ）と、洗濯物（４２）を咬持する咬持部（３４ａ、３４ｂ）とからなる洗濯ばさみを複数個配設したハンガー本体部（１１）から構成されている。個々の洗濯ばさみ（３１）は、その操作片部（３２ａ、３２ｂ）に設けられた通孔（３３）に、ハンガー本体部（１１）を構成する支杆材（１５）が嵌挿されて、ハンガー本体部（１１）に遊動自在に保持されている。そして、このハンガー式洗濯物干し具から洗濯物を取り込む際には、一端側の洗濯ばさみ（３１）を支杆材（１５）に沿わせて他端側の洗濯ばさみ（３１）方向へと押し進めて片寄らせる。すると、隣り合う洗濯ばさみ（３１）相互がその操作片部（３２ａ，３２ｂ）を介して当接するに至り、ついには、操作片部（３２ａ，３２ｂ）が閉方向へと加圧されて個々の洗濯ばさみ（３１）の咬持部（３４ａ，３４ｂ）の側が一斉に拡開する。これにより、一度に洗濯物（４２）を取り外すことができるとしている。なお、上記において括弧内の符号は特許文献１に記載された符号である。
【０００５】
【特許文献１】特開平０７−２５５９９５号公報
【発明の開示】
【発明が解決しようとする課題】
【０００６】
確かに、この特許文献１に記載のハンガー式洗濯物干しを使用すれば、一度に洗濯物を取り外すことが出来るので、洗濯物を取り込む際に洗濯ばさみから１つ１つ洗濯物を取り外す手間は省ける。しかしながら、このハンガー式洗濯物干しにおいても、洗濯物を干す際には、物干し竿などの被掛け部に吊るした状態で、１つ１つ洗濯物を洗濯ばさみに咬持しなければならず、洗濯物を干すときの手間は軽減されていない。さらに、靴下やストッキングなどの対の物を干す際あるいは取り込む際の上記した手間も軽減されていない。
【０００７】
本発明は、従来技術にみられた上記課題に鑑みてなされたものであり、その目的は、靴下などの対の物を洗濯した際にばらばらにならず、さらに、洗濯物を干す手間及び取り込む手間を軽減することを可能とする洗濯物干し具を提供することにある。
【課題を解決するための手段】
【０００８】
上記目的を達成するために、本発明は、洗濯物をピンチに挟持した状態で干すための洗濯物干し具であって、洗濯物を挟持する複数のピンチと、この複数のピンチを間隙を介して連接する環状伸縮部材とからなるとともに、洗濯物を上記ピンチに挟持した状態で洗濯機に入れて洗濯可能とする洗濯物挟持具と、上記洗濯物干し具を被掛け部に掛けるためのフックと、上記洗濯物挟持具を装着する被装着体とからなる支持体と、からなり、上記環状伸縮部材を広げながら上記支持体に挿入することにより上記洗濯物挟持具が上記支持体の任意の位置に装着されることを特徴とする。
【０００９】
上記環状伸縮部材は、例えば、天然ゴム、合成ゴム、丸ゴム（ゴムロープ）等のゴム紐、ゴム入り織物など種々の伸縮部材を適用することが可能である。要するに、この環状伸縮部材を広げて被装着体に嵌め、その収縮力により被装着体の任意の位置に保持されるように機能するものであれば特に材質は問わない。しかしながら、洗濯物挟持具は、洗濯機で洗濯する洗濯物を挟持して使用するものであるので、この環状伸縮部材は耐水性に優れるものが好ましい。
【００１０】
複数のピンチは、この環状伸縮部材に縫製や止め金具等により取り付けられる。各ピンチの間隔は、本発明の洗濯物干し具に洗濯物を干した際に洗濯物を挟持するのに好適な間隔に設定される。例えば、洗濯物がタオルである場合には、このタオルの一端の二隅にピンチが位置するようにこの間隔は設定すればよく、製造者において適宜設定して製造すればよい。
【００１１】
上記被装着体に関しては、洗濯物挟持具が環状伸縮部材の収縮力により任意の位置に保持可能であればよいので、種々の形態が適用可能である。
【００１２】
例えば、被装着体は、縦棒及び横棒からなる枠体であり、上記縦棒及び／又は上記横棒は、伸縮棒からなるようにしてもよい。この伸縮棒とは、長さ調整が可能な棒体であり種々の形態のものがあるが、長さ調整が可能であり、かつ洗濯物を干した際に変形したり折れたりすることのない程度の強度があれば、その材質、構造は何でもよい。縦棒が伸縮棒から形成されれば、洗濯物を干せる量を増やしたり減らしたりすることが可能となり、他方、横棒が伸縮棒から形成されれば、洗濯物の干し幅を変えることが可能となる。例えば、バスタオルなどの幅広の洗濯物を干す際には、横棒を伸ばして使用すればよい。
【００１３】
また、被装着体は、方形状の板材から形成してもよい。板材とすることにより、この被装着体が洗濯物に対し屋根となり洗濯物の雨避けとして機能する。
【００１４】
また、被装着体の挿入開始端部には、凸部を有するようにしてもよい。被装着体の挿入開始端部、すなわち、被装着体に洗濯物挟持具を装着する際に最初に貫通する被装着体の端部であり、この挿入開始端部に凸部を設けることにより、洗濯物干し具に干した洗濯物が強風などにより抜け落ちることを防止することができる。このように、凸部は強風の際の洗濯物の抜け止めなので、抜け止めとして機能すればその形状は特に問わない。
【発明の効果】
【００１５】
以上説明したように本発明によれば、洗濯物をピンチに挟持した状態で洗濯機に入れて洗濯可能とする洗濯物挟持具と、この洗濯物挟持具を装着する被装着体を有する支持体とから洗濯物干し具を構成した。これにより、靴下などの対の物を洗濯した際にばらばらになる状況を回避でき、さらに、洗濯物を干す手間及び取り込む手間を軽減することが可能となる。
【発明を実施するための最良の形態】
【００１６】
以下、本発明の実施形態について、添付した図面を参照しながら説明する。図１は本発明における洗濯物挟持具を示す図であり、（ａ）は全体構成を示す平面図、（ｂ）は部分拡大図、図２は本発明における支持体を示す図であり、（ａ）は全体構成を示す斜視図、（ｂ）〜（ｄ）はジョイント部分の立体図、図３は本発明における伸縮機構部の１実施形態を示す斜視図、図４は本発明における伸縮機構部の他の実施形態を示す図であり、（ａ）及び（ｂ）は斜視図、（ｃ）は断面図、図５は本発明における伸縮機構部の他の実施形態を示す断面図、図６は本発明における洗濯物挟持具の使用状態を示す模式図、図７は本発明の洗濯物干し具の使用状態を示す斜視図である。
【００１７】
図１、２及び７に示すように、本発明の洗濯物干し具１は、洗濯物挟持具２と、支持体５とからなる。
【００１８】
洗濯物挟持具２は、図１（ａ）に示すように洗濯物を挟持する複数のピンチ３と、この複数のピンチ３を間隙を介して連接する丸ゴム（環状伸縮部材）４とからなる。ピンチ３は、２片の挟持片３Ａ、３Ａが突き合わされた状態でバネ片３Ｂにより付勢されて固定されて構成されている。バネ片３Ｂのつまみ部３１Ａをバネ片３Ｂの付勢力に抗して両側から指で摘むことにより、挟持部３２Ａが拡開し、この拡開した部分に洗濯物を挿入した後、指を離すと洗濯物が挟持される。本発明においては、後述するようにこのピンチ３は洗濯物ととともに洗濯機の中に投入され、その後洗濯物を干す際にも洗濯物を挟持するものであるので、洗濯の際及び洗濯物を干す際に洗濯物が外れない程度のバネ片３Ｂの付勢力を要するが、ここに示す形態には限定されず種々のピンチを用いることができる。
【００１９】
また、このピンチ３の数は、ここでは４個としているが、ピンチ３は丸ゴム４に最低２個取り付けられていればよく、この数は４個に限定されない。丸ゴム４に対するピンチ３の取り付け位置は、洗濯物挟持具２を支持体５に装着した際に、洗濯物が図７に示すように洗濯物干し具１に吊下される位置となるように設定される。各ピンチ３は、図１（ｂ）に示すようにして丸ゴム４に取り付けられる。ここでは、丸ゴム４を環状にする前に一端をピンチ３のバネ片３Ｂに通し、このバネ片３Ｂで丸ゴム４を折り返し図１（ｂ）に示す縫製部４Ａで縫製する。このような取り付け作業をすべてのピンチ３（ここでは４個）について行った後、丸ゴム４の両端部（図示しない）を繋ぎ、丸ゴム４を環状にする。なお、ピンチ３の装着方法は、これに限定されず種々の方法が適用可能である。例えば、つまみ部３１Ａに孔を設け、この孔に丸ゴム４を通して装着する方法や、縫製により装着するのではなく取付金具を用いて装着されるようにしてもよい。なお、各ピンチ３間の間隔（間隙）は、製造者側において任意に設定すればよく、好ましくは、洗濯物を干した際に洗濯物が最適な位置でピンチ３により挟持されるように設定されるのがよい。
【００２０】
また、ここでは、環状伸縮部材として丸ゴム４を使用しているが、丸ゴム４に必ずしも限定されず、同様の伸縮機能を有する天然ゴム、合成ゴムあるいはゴム入り織物、その他ゴム材以外の伸縮機能を有するものなどでもよく、好ましくは耐水性に優れるものである方がよい。
【００２１】
図２（ａ）に示すように、支持体５は、洗濯物挟持具２を装着するための被装着体６と、この被装着体６を物干し竿などの被掛け部に掛けるためのフック７Ａを有する吊下部７と、からなる。
【００２２】
被装着体６は、２本の横棒１０と、凸部４０を有する２本の縦棒２０とからなり、ジョイント３０及び吊下部７のジョイント部７Ｂにより連結されて構成された枠体である。
【００２３】
横棒１０も縦棒２０もともにポール状に形成されており、後述する伸縮機構部５０をともに有している。
【００２４】
被装着体６の挿入開始端部１０Ａに相当する横棒１０と各縦棒２０、２０とは、図２（ｂ）に示すＬ字状のジョイント３０を介して連結される。横棒１０及び縦棒２０の両端部には、図２（ｄ）に示すような被ジョイント部１１が形成されている。この被ジョイント部１１は、その外径がジョイント３０のジョイント孔３１の内径より小径に形成されているとともに、その外周面上にはストライプ状のストライプ凸部１１Ａが形成されている。この被ジョイント部１１をジョイント３０のジョイント孔３１に嵌め込むことにより、挿入開始端部１０Ａに対応する横棒１０と縦棒２０、２０とが連結される。
【００２５】
吊下部７は、物干し竿などの被掛け部に掛けるためのフック７Ａと、横棒１０及び縦棒２０を連結するジョイント部７Ｂとからなり、被装着体６を吊下するための部材である。図２（ｃ）にはジョイント部７Ｂを図示しており、ジョイント構造としては、上記ジョイント３０と同様である。なお、横棒１０と縦棒２０とのジョイント構造は、これに限定されず種々の変形例が考えられる。例えば、横棒１０あるいは縦棒２０とジョイント３０あるいはジョイント部７Ｂとを一体的に形成するなどの変形例が考えられる。
【００２６】
また、縦棒２０における被装着体６の挿入開始端部１０Ａ側近傍には、凸部４０が形成されている。この凸部４０を設けることにより、洗濯物挟持具２が強風などにより被装着体６から外れることを防止することができる。
【００２７】
横棒１０、縦棒２０及び吊下部７には、図２（ａ)に示すように伸縮機構部５０が設けられている。この伸縮機構部５０が横棒１０に設けられることにより、ピンチ３による洗濯物の挟持幅を変えることが出来る。すなわち、例えば、タオルを干す際には、四隅のうちの一方の二隅を図７に示すようにピンチ３により挟持することとなるが、バスタオルなどの大判のタオルを干す際には、手拭タオルを干すのに比してピンチ３の間隔（挟持幅）が広くなる。このような場合に、本発明の洗濯物干し具１においては、伸縮機構部５０を用いて横棒１０を伸ばすことができる。
【００２８】
また、伸縮機構部５０が縦棒２０に設けられることにより、洗濯物の干す量を増加させたり減少させたりすることが出来る。すなわち、縦棒２０に伸縮機構部５０を設けることにより長さ方向に縦棒２０を伸ばしたり縮めたりすることが出来るので、洗濯物を干す量が多い場合は縦棒２０を伸ばし、逆に洗濯物を干す量が少ない場合には縦棒２０を縮めて短くして使用すればよい。更に、吊下部７に伸縮機構部５０を設けることにより、縦棒２０を伸ばして洗濯物を干した際の洗濯物のバランスを整えることができる。すなわち、縦棒２０を伸ばした際には、洗濯物干し具１の重心が挿入開始端部１０Ａ側に移動するので、この伸縮機構部５０を操作し吊下部７を伸ばすことにより、重心を初期状態に戻すことができ、バランスが取れるようになる。なお、これら伸縮機構部５０は必須の構成要件と言う訳ではなく、全ての伸縮機構部５０を備えていない洗濯物干し具１とすることも可能であるし、また、この伸縮機構部５０を横棒１０のみとする洗濯物干し具１とすることも可能である。
【００２９】
このような伸縮機構部５０の構造例として、例えば、図３〜図５に示すものがある。以下に示す構造は、いずれも内ポールと外ポールとからなるポールにおける伸縮機構である。下記構造を採用する場合には、横棒１０及び縦棒２０はともに内ポール及び外ポールから形成されるので、以下の伸縮機構部の説明においては横棒１０及び縦棒２０をポールとして説明する。
【００３０】
図３に示す伸縮機構部６０においては、外ポール６１の端部に移動固定具６３が設けられており、この外ポール６１内に内ポール６２が挿入されている。移動固定具６３には図示しない貫通孔が形成されており、この貫通孔にネジ部６４がねじ込まれている。この伸縮機構部６０を用いてポールを伸縮させるには、ネジ部６４を緩めた状態で内ポール６２を外ポール６１内でスライドさせ、所望の位置で止めた後ネジ部６４を締める。すると、その位置で内ポール６２は外ポール６１内に固定される。なお、この伸縮機構部６０を採用する場合には、後述するように洗濯物を取り込む際にネジ部６４に丸ゴム４がひっかかるので、ネジ部６４が下向きになるようにポールに設置した方がよい。
【００３１】
図４に示す伸縮機構部７０においては、外ポール７１に孔７１Ａを設け、他方内ポール７２にはコイルスプリング７４により付勢された突出片７３を設けることにより、伸縮可能としている。具体的には、外ポール７１に内ポール７２が挿入されており、内ポール７２に端部にはストッパー機構７６が嵌め込まれている。ストッパー機構７６の内部にはコイルスプリング７４が内臓されているとともに、突出片７３を装着するための孔が設けられている。この孔に内側から突出片７３をコイルスプリング７４により付勢させながら嵌め込む。内ポール７２を外ポール７１内でスライドさせ、外ポール７１の孔７１Ａと突出片７３の位置が合わさると、突出片７３の頂部が孔７１Ａが突出し、この位置で内ポール７２が外ポール内に固定される。
【００３２】
図５に示す伸縮機構部７０においては、外ポール８１内に内ポール８２が挿入されており、外ポール８１の外周部には受座８３とこの受座８３に嵌合する保持具８４とが固設されており、保持具８４は内ポール８２の軸方向に移動可能に設けられている。また、受座８３の外周にテーパ部８３Ａが形成されるとともに、保持具８４にはテーパ部８３Ａを受け入れるテーパ穴８４Ａが形成されている。受座８３と保持具８４との嵌合時に、テーパ部８３Ａとテーパ穴８４Ａとが相対的に偏心してテーパ部８３Ａがテーパ穴８４Ａに内接する。これにより、保持具８４が内ポール８２を半径方向に加圧してその外周面８２Ａを外ポール８１の内壁８１Ａに圧接せしめ、内ポール８２は外ポール８１内に固定される。
【００３３】
また、上記においては、被装着体６を枠体としたが、被装着体６は方形状の板材から形成してもよい。この被装着体６を板材で形成することにより、この被装着体が本発明の洗濯物干し具１に干した洗濯物に対し屋根となり、洗濯物の雨避けとして機能することとなる。
【００３４】
なお、支持体５については、上記構成に限定されるものではない。例えば、図８に示すような変形例も考えられる。この図８は、上記説明した支持体５の変形例の全体構成を斜視図により示したものであり、図２（ａ）と同一の構成については同一の符号が付してある。以下に図８を参照してこの支持体５の変形例である支持体５´について説明するが、上記説明した支持体５と相違する点についてのみ詳細に説明し、同一の点については説明を省略する。
【００３５】
図８に示す支持体５´は、上記支持体５と、縦棒２０に伸縮機構部５０を設けていない点及び吊下部７´の構成が相違する。
【００３６】
すなわち、吊下部７´は、フック７´Ａ、２つのジョイント部７´Ｂ・７´Ｂ、２つの吊下フレーム部７´Ｃ・７´Ｃ及び接続部７´Ｄからなる。上記吊下部７と異なりフック７´Ａは１つのみで構成されている。また、ジョイント部７´Ｂ・７´Ｂの基本的なジョイント構造は上記ジョイント部７Ｂ・７Ｂと同一であり、延設された吊下フレーム部７´Ｃ・７´Ｃの接続角度・方向のみが異なる。吊下フレーム部７´Ｃ・７´Ｃは、上記吊下部７と同様に被装着体６の横棒１０及び縦棒２０により形成される平面に対し、上向きに傾斜しているが、その方向が縦棒２０に沿う方向ではなく、横棒１０、１０の中点どうしを結ぶ線に向かう方向である。
【００３７】
また、吊下フレーム部７´Ｃ・７´Ｃどうしは、フック７´Ａと接続部７´Ｄを介して接続される。この接続部７´Ｄは、吊下フレーム部７´Ｃ・７´Ｃどうしを接続するとともに、フック７´Ａにより支持体５´を吊下した際に、被装着体６を水平方向に回転可能に支持するよう構成されている。例えば、そのような構成として中央に孔を穿った板材が適用可能である。すなわち、板材により接続部７´Ｄを構成するとともに、この接続部７´Ｄと吊下フレーム部７´Ｃ・７´Ｃを一体成形する。一方、フック７´Ａの下方部分（図８における接続部７´Ｄとの接続部分）に円形状のフランジを設けておくような構成が適用可能である。なお、接続部７´Ｄの構成はこれに限定されず、フック７´Ａにより支持体５´を吊下した際に、被装着体６が水平方向に回動可能に接続されるような構成であれば、種々の周知の接続構造を適用することが可能である。
【００３８】
図８のようにフック７´Ａを１つで構成することにより、部屋の中に洗濯物を干す際に干しやすくなる。
【００３９】
なお、支持体５及び支持体５´の材質は、コスト面から言えば合成樹脂（プラスティック）が好適であるが、これに限定されず、アルミ材やステンレス材など種々の材質が適用可能である。
【００４０】
次に、本発明の洗濯物干し具１を用いて洗濯し干す際の使用例について図６及び図７を用いて説明する。なお、図６及び図７においては、支持体５の構成を図２（ａ）のものとして説明しているが、図８に示す支持体５´の場合でもの同様である。また、以下の説明においては洗濯物を干す順番まで限定するものではなく単なる一例である。なお、図７においては、洗濯物として靴下を干す前にワイシャツ及びタオルを干した状態も示している。
【００４１】
まず、図６に示すようにこれから洗濯する物、ここでは靴下１２を洗濯物挟持具２のピ
ンチ３に挟持した後、そのまま洗濯機９０の洗濯槽９０Ａの中に投入し、洗濯を開始するとともに、物干し竿１３に本発明の洗濯物干し具１を掛ける。洗濯が終了したら、靴下１２をピンチ３から外さずにそのまま取り出し、洗濯カゴ（図示しない）に入れて洗濯物干し具１まで持って行く。次に、洗濯物干し具１の前で、洗濯カゴから靴下１２が挟持された洗濯物挟持具２を取り出し、靴下１２が挟持されたピンチ３が下方に位置する状態で丸ゴム４を指で幅方向（矢印Ａ１、Ａ２方向）に広げ、この状態を維持したまま洗濯物挟持具２を矢印Ｂ方向へ移動させ、洗濯物挟持具２を被装着体６の所望の位置まで挿入する。所望の位置に洗濯物挟持具２を挿入したら指を離す。すると、丸ゴム４の収縮力により洗濯物挟持具２が被装着体６の所望の位置に保持され、洗濯物挟持具２が支持体５に装着される。
【００４２】
一方、この洗濯物干し具１に干してある洗濯物を取り込む際には、被装着体６に装着された丸ゴム４の中央部を手で掴み手前に引き寄せる。すると、丸ゴム４は縦棒２０上を摺動し、被装着体６の挿入開始端部１０Ａから外れる。また、取り込む際に伸縮機構部５０上も摺動することとなるので、伸縮機構部の構造としては出っ張りがなるべく少ない、図４あるいは図５に示す構造のものが好適である。さらに、凸部４０上も摺動することとなるが、この凸部４０に丸ゴム４がひっかからないように適宜調整して引き寄せればよい。
【００４３】
なお、洗濯物を洗濯物干し具１が取り外し、ピンチ３から洗濯物を取り外した後、この洗濯物挟持具２を洗濯機９０の傍に常備しておくと次回の洗濯の際に便利である。
【図面の簡単な説明】
【００４４】
【図１】本発明における洗濯物挟具を示す図であり、（ａ）は全体構成を示す平面図、（ｂ）は部分拡大図。
【図２】本発明における支持体を示す図であり、（ａ）は全体構成を示す斜視図、（ｂ）〜（ｄ）はジョイント部分の立体図。
【図３】本発明における伸縮機構部の１実施形態を示す斜視図。
【図４】本発明における伸縮機構部の他の実施形態を示す図であり、（ａ）及び（ｂ）は斜視図、（ｃ）は断面図。
【図５】本発明における伸縮機構部の他の実施形態を示す断面図。
【図６】本発明における洗濯物挟持具の使用状態を示す模式図。
【図７】本発明の洗濯物干し具の使用状態を示す斜視図。
【図８】他の実施形態の支持体の全体構成を示す斜視図。
【符号の説明】
【００４５】
１  洗濯物干し具
２  洗濯物挟持具
３  ピンチ
３Ａ  挟持片
３１Ａ  つまみ部
３２Ａ  挟持部
３Ｂ  バネ片
４  丸ゴム（環状伸縮部材）
４Ａ  縫製部
５、５´  支持体
６  被装着体
７  吊下部
７Ａ、７´Ａ  フック
７Ｂ、７´Ｂ  ジョイント部
７´Ｃ  吊下フレーム部
７´Ｄ  接続部
１０  横棒
１１  被ジョイント部
１１Ａ  ストライプ凸部
１２  靴下（洗濯物）
１３  物干し竿（被掛け部）
２０  縦棒
３０  ジョイント
４０  凸部
５０  伸縮機構部
６０  伸縮機構部
６１  外ポール
６２  内ポール
６３  移動固定具
６４  ネジ部
７０  伸縮機構部
７１  外ポール
７１Ａ  係合孔
７２  内ポール
７３  突出片
７４  コイルスプリング
７５  緩衝キャップ
７６  ストッパー機構
８０  伸縮機構部
８１  外ポール
８１Ａ  内壁
８２  内ポール
８２Ａ  外周面
８３  受座
８３Ａ  テーパ部
８４  保持具
８４Ａ  テーパ穴
９０  洗濯機
９０Ａ  洗濯槽
【図１】
2008154806.tif 000003
【図２】
2008154806.tif 000004
【図３】
2008154806.tif 000005
【図４】
2008154806.tif 000006
【図５】
2008154806.tif 000007
【図６】
2008154806.tif 000008
【図７】
2008154806.tif 000009
【図８】
2008154806.tif 000010